(57)【要約】【課題】  情報処理装置におけるＨｏｔ  Ｆｏｌｄｅｒから印刷を実行し、プリンタで調整のうえ本印刷した後で、再印刷あるいは同様の設定で印刷を行う場合、ユーザは情報処理装置上のデータをプリンタデバイスへ送信し、プリンタデバイスにて以前行った調整を思い出しながら煩雑な設定をもう一度やり直さなければならない。【解決手段】  情報処理装置は印刷設定保持手段と、保持した印刷設定をジョブチケットに変換する手段と、ファイルに対して変換したジョブチケット付加手段と、付加ファイル送信手段を備え、画像形成装置は情報処理装置からのプリントジョブ受信手段を備え、画像処理装置は、印刷設定調整手段と印刷設定の調整内容保持手段を備え、印刷完了後で、印刷設定の調整内容を情報処理装置へ返送する手段と、返送された調整内容の受信解析手段と、予め保持している印刷設定を更新する手段を備える印刷システムとする。【選択図】  図１
2008282330.tif 000002
【特許請求の範囲】
【請求項１】
ネットワークに接続可能な画像形成装置と、情報処理装置からなる印刷システムにおいて、
該情報処理装置は、あらかじめ印刷設定を保持する手段を備え、
該情報処理装置は、保持してある印刷設定をジョブチケットに変換する手段を備え、
該情報処理装置は、ファイルに対して変換したジョブチケットを付加する手段を備え、
該情報処理装置は、該画像形成装置に対してジョブチケットを付加したファイルを送信する手段を備え、
該画像形成装置は、該情報処理装置からジョブチケットを含んだプリントジョブを受信する手段を備え、
該画像処理装置は、プリントジョブに含まれる該印刷設定に対して調整をする手段を備え、
該画像処理装置は、該印刷設定の調整した内容を保持する手段を備え、
印刷が完了した後で、保持していた印刷設定の該調整内容を該情報処理装置へ返送する手段を備え、
該情報処理装置は、返送された該調整内容を受信し、解析する手段を備え、
該情報処理装置は、あらかじめ保持している印刷設定を更新する手段を備えること
を特徴とする印刷システム。
【請求項２】
請求項１の印刷システムにおいて、印刷の完了は、ユーザの指示、もしくは、ジョブの削除、によって判別されることを特徴とする印刷システム。
【請求項３】
請求項１乃至２の印刷システムにおいて、該調内容はプリントジョブの送信元の情報処理装置へ送信することを特徴とする印刷システム。
【請求項４】
ネットワークに接続可能な画像形成装置と、情報処理装置からなる印刷方法において、
該情報処理装置は、あらかじめ印刷設定を保持するステップを備え、
該情報処理装置は、保持してある印刷設定をジョブチケットに変換するステップを備え、
該情報処理装置は、ファイルに対して変換したジョブチケットを付加するステップを備え、
該情報処理装置は、該画像形成装置に対してジョブチケットを付加したファイルを送信するステップを備え、
該画像形成装置は、該情報処理装置からジョブチケットを含んだプリントジョブを受信するステップを備え、
該画像処理装置は、プリントジョブに含まれる該印刷設定に対して調整をするステップを備え、
該画像処理装置は、該印刷設定の調整した内容を保持するステップを備え、
印刷が完了した後で、保持していた該印刷設定の該調整内容を情報処理装置へ返送するステップを備え、
該情報処理装置は、返送された該調整内容を受信し、解析するステップを備え、
該情報処理装置は、あらかじめ保持している印刷設定を更新するステップを備えること
を特徴とする印刷方法。
【発明の詳細な説明】
【技術分野】
【０００１】
本発明は、画像形成処理を実行可能な画像形成装置もしくは画像形成システムの制御等に関するものである。
【背景技術】
【０００２】
下記の特許文献１に示すように、複数のプリンタから所望のプリンタを選択して、一つのクラスタプリンタを構成し、プリントをする際に他のプリンタのジョブチケットを参照する。そして、印刷設定の初期値をユーザに表示させ、ユーザに値を変更させてジョブと一緒に送信してプリントするような、お気に入りの設定が、他のプリンタなどに設定されている印刷設定となっているようなことを特徴とするプリントシステムが提案されている。
【特許文献１】特開２００２−００７０９０号公報
【発明の開示】
【発明が解決しようとする課題】
【０００３】
Ｐｒｉｎｔ  Ｏｎ  Ｄｅｍａｎｄ（ＰＯＤ）などの印刷業界においては、通常、プリンタデバイスへジョブを投入し、プリンタデバイスにて一時保存を行う。そして、プリンタデバイスの前で、試し印刷を行いながら印刷設定を直接調整し、調整が終わったら本印刷を行うといったワークフローが一般的である。
【０００４】
情報処理装置におけるＨｏｔ  Ｆｏｌｄｅｒから印刷を実行し、プリンタで調整のうえ本印刷した後で、再印刷あるいは同様の設定で印刷を行う場合、ユーザは情報処理装置上のデータをプリンタデバイスへ送信し、プリンタデバイスにて以前行った調整を思い出しながら煩雑な設定をもう一度やり直さなければならない。さもなければ、プリンタデバイスにて行った調整を思い出し、Ｈｏｔ  Ｆｏｌｄｅｒの印刷設定を編集しなおさなければならない。
【０００５】
上述した従来技術の様に、他のプリンタの印刷設定を参照するようなことが可能であっても、プリンタデバイス上での調整した情報を設定させることは可能ではない。
【課題を解決するための手段】
【０００６】
ネットワークに接続可能な画像形成装置と、情報処理装置からなる印刷システムにおいて、
該情報処理装置は、あらかじめ印刷設定を保持する手段を備え、
該情報処理装置は、保持してある印刷設定をジョブチケットに変換する手段を備え、
該情報処理装置は、ファイルに対して変換したジョブチケットを付加する手段を備え、
該情報処理装置は、該画像形成装置に対してジョブチケットを付加したファイルを送信する手段を備え、
該画像形成装置は、該情報処理装置からジョブチケットを含んだプリントジョブを受信する手段を備え、
該画像処理装置は、プリントジョブに含まれる該印刷設定に対して調整をする手段を備え、
該画像処理装置は、該印刷設定の調整した内容を保持する手段を備え、
印刷が完了した後で、保持していた印刷設定の該調整内容を該情報処理装置へ返送する手段を備え、
該情報処理装置は、返送された該調整内容を受信し、解析する手段を備え、
該情報処理装置は、あらかじめ保持している印刷設定を更新する手段を備える。
【発明の効果】
【０００７】
Ｈｏｔ  Ｆｏｌｄｅｒの設定を変更することで、プリンタデバイスにて本印刷を行ったときと同じ設定にすることが可能となり、本印刷時と同じ出力物をいつでも得ることが可能となる。
【発明を実施するための最良の形態】
【０００８】
以下、図面を参照して本発明の好適な実施形態について詳細に説明する。
【０００９】
＜印刷処理システムの構成例＞
図１は、実施形態に係る印刷処理システムの構成を示す図である。
【００１０】
同図において、１０１、１０２、１０３、１０４は、ネットワーク１０７に接続され、相互に通信可能なネットワークコンピュータであり、典型的にはパーソナルコンピュータ（ＰＣ）であり、それぞれイーサネット（登録商標）などのネットワークケーブルによってネットワーク１０７に接続され、アプリケーションプログラム等の各種のプログラムを実行可能であり、印刷データをプリンタに対応するプリンタ言語に変換する機能を有するプリンタドライバを搭載している。ここで、各コンピュータは複数のプリンタドライバをサポートするものとする。また、プリンタに対応するプリンタ言語に変換にした印刷データを１０５ネットワークプリンタに転送する機能を有する。
【００１１】
１０５は、印刷制御装置としてのネットワークプリンタであり、ネットワークインタフェースカード１０６を介してネットワーク１０７と接続されており、クライアントコンピュータから送信されてくる印字データを含む印刷ジョブを解析し、１ページずつドットイメージに変換して印刷する。なお、同図にネットワークプリンタ１０５は１台しか示されていないが、他のネットワークプリンタが複数接続されているものとする。各ネットワークプリンタの機能は相違するものであってもよい。
【００１２】
また、１０７はネットワークであり、コンピュータ１０１〜１０４、ネットワークプリンタ１０５等と接続している。
【００１３】
＜ネットワークコンピュータのハードウェア構成例＞
図２は、コンピュータ１０１〜１０４の構成を説明するブロック図である。図２において、２００は装置全体の制御を行うＣＰＵであり、ハードディスク（ＨＤ）２０５に格納されているアプリケーションプログラム、プリンタドライバプログラム、ＯＳや、本実施形態のネットワークプリンタ制御プログラム等を実行し、ＲＡＭ２０２にプログラムの実行に必要な情報、ファイル等を一時的に格納する制御を行う。
【００１４】
２０１は記憶手段としてのＲＯＭであり、内部には、基本Ｉ／Ｏプログラム等のプログラム、文書処理の際に使用するフォントデータ、テンプレート用データ等の各種データを記憶する。２０２は一時記憶手段としてのＲＡＭであり、ＣＰＵ２００の主メモリ、ワークエリア等として機能する。
【００１５】
２０３は記憶媒体読み込み手段としてのフレキシブルディスクドライブであり、後述する図５に示すようにＦＤドライブ２０３を通じて、記憶媒体としてのＦＤ２０４に記憶されたプログラム等を本コンピュータにロードすることができる。２０４は記憶媒体であるフレキシブルディスク（ＦＤ）であり、コンピュータが読み取り可能にプログラムが格納された記憶媒体である。なお、記憶媒体はＦＤに限らず、ＣＤ−ＲＯＭ、ＣＤＲ、ＣＤＲＷ、ＰＣカード、ＤＶＤ、ＩＣメモリカード、ＭＯ、メモリスティック等、任意である。
【００１６】
２０５は外部記憶手段の一つであり、大容量メモリとして機能するハードディスク（ＨＤ）であり、アプリケーションプログラム、プリンタドライバプログラム、ＯＳ、ネットワークプリンタ制御プログラム、関連プログラム等を格納している。更に、スプール手段であるスプーラはここに確保される。スプール手段は、クライアントではクライアントスプーラのことであり、プリントサーバではサーバスプーラのことである。また、プリントサーバでは、クライアントから受けたジョブ情報を格納し、順序制御を行うためのテーブルもこの外部記憶手段に生成されて格納される。
【００１７】
２０６は指示入力手段であるキーボードであり、ユーザがクライアントコンピュータに対して、また、オペレータや管理者がプリントサーバに対して、デバイスの制御コマンドの命令等を入力指示するものである。２０７は表示手段であるディスプレイであり、キーボード２０６から入力したコマンドや、プリンタの状態等を表示したりするものである。
【００１８】
２０８はシステムバスであり、クライアントやプリントサーバであるコンピュータ内のデータの流れを司るものである。２０９は入出力手段であるインタフェースであり、該インタフェース２０９を介して情報処理装置は外部装置とのデータのやり取りを行う。
【００１９】
なお、上記コンピュータの構成はその一例であり、図２の構成例に限定されるものではない。例えば、データやプログラムの格納先は、その特徴に応じてＲＯＭ、ＲＡＭ、ＨＤなどで変更することも可能である。
【００２０】
図３は、図２に示したＲＡＭ２０２のメモリマップの一例を示す図であり、ＦＤ２０４からロードされる上記ネットワークプリンタ制御プログラムが、ＲＡＭ２０２にロードされ実行可能となった状態のメモリマップである。
【００２１】
なお、本実施形態では、ネットワークプリンタ制御プログラムおよび関連データをＦＤ２０４から直接ＲＡＭ２０２にロードして実行させる例を示すが、これ以外にも、ネットワークプリンタ制御プログラムを動作させる度に、既にネットワークプリンタ制御プログラムがＦＤ２０４からインストールされているＨＤ２０５から、ＲＡＭ２０２にロードするようにしてもよい。また、本ネットワークプリンタ制御プログラムを記憶する媒体は、ＦＤ以外にＣＤ−ＲＯＭ、ＣＤＲ、ＰＣカード、ＤＶＤ、ＩＣメモリカードであってもよい。さらに、本ネットワークプリンタ制御プログラムをＲＯＭ２０１に記憶しておき、これをメモリマップの一部となすように構成し、直接ＣＰＵ２００で実行することも可能である。また、以上の各装置と同等の機能を実現するソフトウェアをもって、ハードウェア装置の代替として構成することもできる。
【００２２】
また、以下では、本ネットワークプリンタ制御プログラムのことを、簡単に印刷制御プログラムまたはプリンタドライバと呼ぶこともある。印刷制御プログラムは、クライアントにおいては、印刷ジョブの印刷先の変更を指示したり、印刷順序を変更する指示をするための制御を行うプログラムを含む。一方、プリントサーバにおいては、印刷ジョブの順序制御を行なったり、印刷ジョブの印刷終了や印刷先変更要求などを通知するためのプログラムを含んでいる。また、このような制御を行う本実施形態の印刷制御プログラムは、クライアントにインストールされるモジュールと、プリントサーバにインストールされるモジュールを別々に分けてもよいし、ひとつの印刷制御プログラムが、実行される環境によりクライアント用として機能したり、プリントサーバ用として機能するようにしてもよい。あるいは、一台のコンピュータに、クライアント用の機能を持つモジュールとプリントサーバ用として機能するモジュールとをともにインストールし、同時にあるいは時分割で、擬似的に平行動作させる構成も可能である。
【００２３】
３０１は基本Ｉ／Ｏプログラムであり、コンピュータの電源がＯＮされたときに、ＨＤ２０５からＯＳがＲＡＭ２０２に読み込まれ、ＯＳの動作を開始させるＩＰＬ（イニシャルプログラムローデイング）機能などを有しているプログラムが入っている領域である。３０２はオペレーティングシステム（ＯＳ）であり、３０３はネットワークプリンタ制御プログラムで、ＲＡＭ２０２上に確保される領域に記憶される。３０４は関連データで、ＲＡＭ２０２上に確保される領域に記憶される。３０５はワークエリアで、ＣＰＵ２００が本プリンタ制御プログラムを実行する領域が確保されている。
【００２４】
図４は、図２に示したＦＤ２０４のメモリマップの一例を示す図である。
【００２５】
図４において、４０１はデータの情報を示すボリューム情報であり、４０２はディレクトリ情報、４０３は本実施形態で説明する印刷制御プログラムであるネットワークプリンタ制御プログラム、４０４はその関連データである。ネットワークプリンタ制御プログラム４０３は、本実施形態で説明するフローチャートに基づいてプログラム化したものであり、本実施形態では、クライアント及びサーバ共に、同様の構成をとっている。
【００２６】
図５は、図２に示したＦＤドライブ２０３に対して挿入されるＦＤ２０４との関係を示す図であり、図２と同一のものには同一の符号を付してある。図５において、ＦＤ２０４には、本実施形態で説明するネットワークプリンタ制御プログラムおよび関連データが格納されている。
【００２７】
＜Ｈｏｔ  Ｆｏｌｄｅｒの設定処理フロー＞
Ｈｏｔ ＦｏｌｄｅｒはＷｉｎｄｏｗｓ（登録商標）の実フォルダと、それを監視する監視モジュールとから構成される。
【００２８】
図６は、Ｈｏｔ Ｆｏｌｄｅｒとしてフォルダを設定する処理のフローを示す図である。
【００２９】
ステップＳ６０１にて、Ｈｏｔ Ｆｏｌｄｅｒの設定には、Ｗｉｎｄｏｗｓ（登録商標）の実フォルダを設定するところから始まる。既存の実フォルダもしくは、新規に作成されるフォルダを、フォルダ監視モジュールの監視対象として設定したら、ステップＳ６０２へ進む。
【００３０】
ステップＳ６０２では、Ｈｏｔ  Ｆｏｌｄｅｒの送信するプリントジョブの送信先プリンタデバイスを設定する。送信先プリンタデバイスを設定したら、ステップＳ６０３へ進む。
【００３１】
ステップＳ６０３では、ステップＳ６０２で設定されたプリンタデバイスに合わせて、Ｈｏｔ Ｆｏｌｄｅｒのデフォルトの印刷設定を設定し、Ｈｏｔ  Ｆｏｌｄｅｒのデータとして保持する。
【００３２】
ステップＳ６０４にて、Ｈｏｔ  Ｆｏｌｄｅｒの容量や監視のタイミングといった、Ｈｏｔ  Ｆｏｌｄｅｒの処理動作に関する設定を行い、終了する。
【００３３】
＜印刷設定のデータ構造例＞
図７は、図６のステップＳ６０３にて保存された印刷設定のデータ構造の一例を示す。
【００３４】
このデータ構造の中には、送信先デバイスの情報や、印刷する部数、印刷設定など、印刷時に必要なパラメータをすべて保持する。
【００３５】
＜Ｈｏｔ  Ｆｏｌｄｅｒの印刷処理フロー＞
図８はHot Folderの印刷処理時のフローを示したフローチャートである。
【００３６】
図６にてHot Folderの設定が終了したときからスタートする。
【００３７】
ステップＳ８０１では、監視モジュールが設定されたＨｏｔ  Ｆｏｌｄｅｒを監視対象とし、該Ｈｏｔ  Ｆｏｌｄｅｒへのファイル投入の有無を監視する。
【００３８】
ステップＳ８０２にて、Ｈｏｔ  Ｆｏｌｄｅｒの監視モジュールが、Ｈｏｔ  Ｆｏｌｄｅｒへのファイルの投入を検知した場合は、ステップＳ８０３へ進み、ファイルの投入が確認されなかった場合は、ステップＳ８０１へ戻り、監視モジュールの監視状態は続く。
【００３９】
ステップＳ８０３では、Ｈｏｔ  Ｆｏｌｄｅｒに投入されたファイルの形式が、Ｈｏｔ  Ｆｏｌｄｅｒのサポート対象形式であるかどうかをチェックする。対象形式でなければ、ステップＳ８０５へ進み、対象形式であればステップＳ８０４へ進む。
【００４０】
ステップＳ８０４では、図６のステップＳ６０３にてＨｏｔ  Ｆｏｌｄｅｒに設定された印刷設定を読み込み、ジョブチケット（ＪＴ１）を作成する。そして、ステップＳ８０６へ進む。
【００４１】
ステップＳ８０５では、Ｈｏｔ  Ｆｏｌｄｅｒに投入されたファイルが対応外の形式であったとして、エラー処理を実行する。このときのエラー処理としては、投入されたファイルを削除するや、投入されたファイルをどこか違うフォルダへ転送するなどの処理が取られる。このエラー処理が行われたら、この印刷処理時のフローを終了する。
【００４２】
ステップＳ８０６では、ステップＳ８０４にて作成されたジョブチケット（ＪＴ１）を投入されたファイルと共に、プリンタデバイスへ送信する。送信すんだらこのＨｏｔ  Ｆｏｌｄｅｒの印刷処理時のフローを終了する。
【００４３】
＜デバイスへ送信するジョブチケットの構造例＞
図９は、Ｈｏｔ  Ｆｏｌｄｅｒからデバイスへ送信されるジョブチケット（ＪＴ１）の構造の特徴を示す図の一例である。
【００４４】
図のようにジョブチケットはＸＭＬで記述され、各印刷設定項目のパラメータが記述されているものとする。
【００４５】
＜Ｐｒｉｎｔ  Ｏｎ  Ｄｅｍａｎｄ（ＰＯＤ）におけるジョブ処理フロー＞
一般的なＰｒｉｎｔ  Ｏｎ  Ｄｅｍａｎｄ（ＰＯＤ）市場におけるジョブ処理フローの一例を説明する。
【００４６】
図１０は、ＰＯＤ市場において、ユーザがプリントジョブを処理するフローを表した図である。ステップＳ１００１においてユーザがコンピュータ１０１から、プリントデバイス１０５へ、印刷設定とプリントジョブを送信して、印刷を実行するところから始まる。プリンタデバイスへ送信を実行したら、ステップＳ１００２へ進む。
【００４７】
ステップＳ１００２では、送信されたプリントジョブデータは、プリントデバイスにて一旦停止させられる。一般的なＰＯＤのシステムにおいては、この様にプリントジョブを一旦停止（ホールド状態）にしてから、プリントジョブに適切な用紙等をプリンタデバイスにセットして、プリントの準備を行う。準備が完了したら、ステップＳ１００３へ移行する。
【００４８】
ステップＳ１００３において、印刷出力物のチェックを行うために、一部もしくは数ページの印刷（試し印刷）が行われる。
【００４９】
ステップＳ１００４にて、試し印刷での出力物の出来栄えや形や印刷面の色合いなどをチェックする。出力物として問題なければステップＳ１００６へ進み、印刷面の色合いや画像位置など、設定の修正が必要な場合は、ステップＳ１００５へ進む。
【００５０】
ステップＳ１００５では、目的とする出力物を出すために、デバイスのパネルにてプリントジョブに付加された設定に修正設定を付加、もしくは、設定のやり直しを行う。設定の修正が終わったら、再び印刷出力物の確認を行うためにステップＳ１００３へ進み、試し印刷を行う。
【００５１】
ステップＳ１００６では、試し印刷の結果に問題が無い、もしくはステップＳ１００３〜Ｓ１００５を繰り返し行い、印刷出力物に問題が無くなったとして、プリンタデバイスに試し印刷時と同じ設定を用いて、求められた部数を設定して印刷を実行する。印刷が完了したら、このフローを終了する。
【００５２】
＜本システムが実現するプリンタデバイスのジョブチケット処理フロー＞
本システムが実現するプリンタデバイスの処理フローを以下に説明する。
【００５３】
図１１はプリンタデバイスがジョブチケットをＨｏｔ Ｆｏｌｄｅｒへ返送するときの処理フローの一例を示す図である。
【００５４】
このフローチャートはプリンタデバイスがプリントジョブを受け付けることから始まる。
【００５５】
ステップＳ１１０１にて、プリンタデバイスがプリントジョブを受け付けると、ジョブチケット（ＪＴ１）を読み込み、印刷用ジョブチケットのサブセット（ＪＴ２）を作成する。ＪＴ１の読み込み、及び、ＪＴ２の作成が完了したらステップＳ１１０２へ進む。
【００５６】
ステップＳ１１０２では、プリンタデバイスにて印刷の準備が出来たとして、ＪＴ１を元にした印刷設定で試し印刷が実される。試し印刷が終わったら、ステップＳ１１０３へ進む。
【００５７】
ステップＳ１１０３では、ステップＳ１１０２で試し印刷した結果を判定するため、印刷出力物を確認し、本印刷が可能かどうかのチェックを行う。印刷出力物が本印刷可能なレベルの仕上がりであれば、印刷設定の編集の必要が無いものとして、ステップＳ１１０５へ進む。印刷出力物が本印刷可能なレベルの仕上がりでなければ、印刷設定の編集が必要として、ステップＳ１１０４へ進む。
【００５８】
ステップＳ１１０４では、プリンタデバイスにて、本印刷可能なレベルになるように印刷設定の編集を行う。また印刷設定を編集すると同時に、編集した設定内容をＪＴ２へ反映させる。印刷設定の編集が終わったら、編集した結果を確認するためにステップＳ１１０２へ戻り、再び試し印刷を実行する。
【００５９】
ステップＳ１１０５では、ステップＳ１１０３の判別において、印刷設定の編集に問題が無かったとして、本印刷を実行する。本印刷が終わったら、ステップＳ１１０６へ進む。
【００６０】
ステップＳ１１０６では、本印刷が完了したとして、ＪＴ２をクライアントへ返送する。プリンタデバイスが本印刷の完了を判断する処理としては、ユーザがプリンタデバイスに対して本印刷完了を指示したり、Ｈｏｌｄされていたジョブが削除されるのを検知したりすることで、判断される。
【００６１】
プリンタデバイスが、クライアントの情報処理装置へＪＴ２を返送したら、プリンタデバイスの処理フローを終了する。
【００６２】
＜ジョブチケットデータ構造例２＞
図１２は、図１１にてプリンタデバイスが、クライアントに返すジョブチケット（ＪＴ２）の構造の一例を示す。
【００６３】
図１２−１２０１は、プリンタデバイスにて、修正した印刷設定の項目を示すところであり、修正したことを示すコマンドが記述されている。
【００６４】
図１２−１２０２は、プリンタデバイスにて、新たに追加設定された印刷設定の項目を示すところであり、追記したことを示すコマンドが記述されている。
【００６５】
＜ジョブチケットＪＴ２を受け取った後のクライアント側の印刷設定更新処理フロー＞
図１３は、プリンタデバイスから返送された、ジョブチケット（ＪＴ２）をクライアント側の情報処理装置が受け取った後の処理フローを示す。
【００６６】
ステップＳ１３０１にて、クライアント側の情報処理装置におけるＨｏｔ  Ｆｏｌｄｅｒ監視モジュールが、プリンタデバイスから返送されたＪＴ２を受け取るところから始まる。Ｈｏｔ  Ｆｏｌｄｅｒの監視モジュールが印刷設定の編集情報ＪＴ２を受けとったら、ステップＳ１３０２へ進む。
【００６７】
ステップＳ１３０２では、受け取ったＪＴ２を解析し、ＪＴ２の中にプリンタデバイスにて印刷設定の編集もしくは追記を行ったことを示すコマンドが含まれているかを判別する。印刷設定の編集を行ったことを示すコマンド、もしくは、印刷設定の項目追記を行ったことを示すコマンドが含まれている場合は、ステップＳ１３０３へ進み、該当するコマンドが含まれていない場合は、印刷設定の更新処理を行わずに印刷設定更新の処理フローを終了する。
【００６８】
ステップＳ１３０３では、ＪＴ２に修正コマンドもしくは、追記コマンドが含まれているものとして、コマンドの解析を行う。
【００６９】
コマンドの解析を行い、印刷設定のどの項目が編集されているかを解析する。そしてステップＳ１３０４へ進む。
【００７０】
ステップＳ１３０４では、ステップＳ１３０３で解析したコマンドを元に、Ｈｏｔ  Ｆｏｌｄｅｒで設定されているデフォルトの印刷設定の中で、該当する印刷設定の項目を修正する。修正が終了したら、監視モジュールはフォルダ監視状態に入り、クライアント側での処理フローを終了する。
【図面の簡単な説明】
【００７１】
【図１】本提案の印刷システムの構成を示すブロック図。
【図２】図１に示した情報処理装置の構成を説明するブロック図。
【図３】図２に示したＲＡＭ２０２のメモリマップの一例を示す図。
【図４】図２に示したＦＤ２０４のメモリマップの一例を示す図。
【図５】図２に示したＦＤドライブ２０３に対して挿入されるＦＤ２０４との関係を示す図。
【図６】Ｈｏｔ  Ｆｏｌｄｅｒの設定処理フローを示す図。
【図７】図６にて設定されるデフォルト印刷設定のデータ構造の一例を示す図。
【図８】Ｈｏｔ  Ｆｏｌｄｅｒの印刷処理フローを示す。
【図９】図８にてＨｏｔ  Ｆｏｌｄｅｒが処理し、発行するジョブチケット構造の一例を示す図。
【図１０】ＰＯＤにおける一般的なジョブの処理フローの一例を示す図。
【図１１】プリンタデバイスがジョブチケットをＨｏｔ Ｆｏｌｄｅｒへ返送するときの処理フローの一例を示す図。
【図１２】Ｈｏｔ Ｆｏｌｄｅｒへ返送されるジョブチケット構造の一例を示す図。
【図１３】返送されたジョブチケットをＨｏｔ Ｆｏｌｄｅｒが処理するフローを示す図。
【図１】
2008282330.tif 000003
【図２】
2008282330.tif 000004
【図３】
2008282330.tif 000005
【図４】
2008282330.tif 000006
【図５】
2008282330.tif 000007
【図６】
2008282330.tif 000008
【図７】
2008282330.tif 000009
【図８】
2008282330.tif 000010
【図９】
2008282330.tif 000011
【図１０】
2008282330.tif 000012
【図１１】
2008282330.tif 000013
【図１２】
2008282330.tif 000014
【図１３】
2008282330.tif 000015